(57)【要約】【課題】非接触通信媒体を交換することなく、ユーザが身に付ける物品の買い替えを行いながらも、登録や設定を改めて行うことなく継続して非接触通信媒体をこの物品に搭載させて使用できる簡易な手法を提供すること。【解決手段】ＩＣチップ１０１と、ＩＣチップ１０１に接続されたコイルアンテナ１０２と、ＩＣチップ１０１及びコイルアンテナ１０２が配置された基材１１と、ＩＣチップ１０１、コイルアンテナ１０２、及び基材１１を封止する封止部材１２とを有するＲＦＩＤタグ１は、ユーザが身に付ける物品の一部に設けられた挿入ポケット５１１に挿入され係止された状態で通信を可能とすることにより上記課題を解決する。【選択図】図２
2019125041.tif 000002
【特許請求の範囲】
【請求項１】
ＩＣチップと、前記ＩＣチップに接続されたコイルアンテナと、前記ＩＣチップ及び前記コイルアンテナが配置された基材と、
前記ＩＣチップ、前記コイルアンテナ、及び前記基材を封止する封止部材と、
を有する非接触通信媒体であって、
ユーザが身に付ける物品の一部に設けられた挿入ポケットに挿入され係止された状態で通信を可能とする、
ことを特徴とする非接触通信媒体。
【請求項２】
前記非接触通信媒体は、縦の長さが１６ｍｍ〜１８ｍｍ、横の長さが２４ｍｍ〜２６ｍｍであり、厚さが１ｍｍ以下である、
請求項１に記載の非接触通信媒体。
【請求項３】
前記基材は、可撓性基材である、
請求項１又は２に記載の非接触通信媒体。
【請求項４】
前記物品は、手首装着品である、
請求項１乃至３のうちいずれか１項に記載の非接触通信媒体。
【請求項５】
請求項１乃至４のうちいずれか１項に記載の非接触通信媒体を挿入して内部に係止可能とする挿入ポケットを有する、
手首装着品。
【発明の詳細な説明】
【技術分野】
【０００１】
本発明は、非接触通信媒体、及び非接触通信媒体を脱着可能な手首装着品に関する。
【背景技術】
【０００２】
ＲＦＩＤを含む非接触型の通信技術は、誘導電磁界又は電波を利用した非接触型の自動認識技術の１つとして、製造、物流、交通、小売、サービス等、あらゆる分野で、識別、認証、決済、トレーサビリティ等の用途で重要な役割を果たす存在となっている。
特に、タグ等に形状に加工された、アンテナコイル付きのＩＣチップは、「ＲＦＩＤタグ」とも呼ばれ、ＲＦＩＤタグに対する情報の書き込みや読み出しを行うリーダライタとの間で非接触による情報通信が行われる。小売やサービスの分野では、ＲＦＩＤタグが電子マネーに利用されており、ＲＦＩＤタグを搭載した携帯電話、スマートフォン、腕時計は既に存在する（例えば特許文献１参照）。
また、ＲＦＩＤタグを含む非接触通信媒体は、可撓性を有する物に取り付けられて使用される場合、その物の動きに伴って変形することが要請されることもあることから、可撓性を有するＲＦＩＤタグも既に存在する（例えば特許文献２及び特許文献３参照）。
【先行技術文献】
【特許文献】
【０００３】
【特許文献１】特開２００５−１３４２２３号公報
【特許文献２】特開２００７−１８３９１９号公報
【特許文献３】特開２０１６−９１２６１号公報
【発明の概要】
【発明が解決しようとする課題】
【０００４】
このように、ＲＦＩＤタグを含む非接触通信媒体は、物に搭載されたり取り付けられたりすることで有効利用が図られているが、一度物に搭載されたり取り付けられると、それ以降交換が行われないのが一般的である。このため、例えばＲＦＩＤタグが搭載された腕時計を、電子決済時に利用するユーザが、腕時計の経年劣化に伴い新しい腕時計に買い替える場合には、これまで使用していたＲＦＩＤタグとは異なるＲＦＩＤタグが搭載された腕時計を新たに購入する必要がある。即ち、従来より、腕時計に搭載されているＲＦＩＤは、交換が想定されていなかったため、腕時計の買い替えに付随して交換されるものとされていた。
しかしながら、ＲＦＩＤタグが搭載された腕時計を新たに購入する場合、搭載されたＲＦＩＤタグの登録や設定を改めて行わなければならず、この登録や設定を行わない限り、買い物等で電子決済を行うことができない。また、登録や設定には時間を要する場合もある。これは、ＲＦＩＤタグの登録や設定の手間を面倒と考えるユーザから、腕時計を買い替えようとする気持ちを削いでしまうという結果をもたらしていた。
このため、ＲＦＩＤタグを含む非接触通信媒体を交換することなく、腕時計に代表される、ユーザが身に付ける物品の買い替えを行いながらも、登録や設定を改めて行うことなく継続してこの物品に非接触通信媒体を搭載させて使用できる簡易な手法の開発が望まれている。
【０００５】
本発明は、このような状況に鑑みてなされたものであり、非接触通信媒体を交換することなく、ユーザが身に付ける物品の買い替えを行いながらも、登録や設定を改めて行うことなく継続して非接触通信媒体をこの物品に搭載させて使用できる簡易な手法を提供することを目的とする。
【課題を解決するための手段】
【０００６】
上記目的を達成するため、本発明に係る非接触通信媒体は、
ＩＣチップと、前記ＩＣチップに接続されたコイルアンテナと、前記ＩＣチップ及び前記コイルアンテナが配置された基材と、
前記ＩＣチップ、前記コイルアンテナ、及び前記基材を封止する封止部材と、
を有する非接触通信媒体であって、
ユーザが身に付ける物品の一部に設けられた挿入ポケットに挿入され係止された状態で通信を可能とする。
【０００７】
この発明によれば、ユーザは、非接触通信媒体を交換することなく、ユーザが身に付ける物品の買い替えを行いながらも、登録や設定を改めて行うことなく継続してこの非接触通信媒体をこの物品に取り付けて使用することができる。
【０００８】
前記非接触通信媒体は、縦の長さが１６ｍｍ〜１８ｍｍ、横の長さが２４ｍｍ〜２６ｍｍであり、厚さが１ｍｍ以下である、ことが好ましい。
【０００９】
この発明によれば、ユーザが身に付ける物品が小さい場合や、薄い場合であっても、非接触通信媒体を取り付け可能とする場合が多くなるので、非接触通信媒体を取り付けることができる物品の範囲を広めることができる。
【００１０】
また、前記基材は、可撓性基材である、とすることが好ましい。
【００１１】
この発明によれば、ユーザが身に付ける物品又は挿入部分が可撓性を有する場合であっても、非接触通信媒体を破損してしまうことを防ぐことができる。
【００１２】
また、前記物品は、手首装着品である、とすることが好ましい。
【００１３】
この発明によれば、ユーザは、非接触通信媒体を交換することなく、腕時計やリストバンド等の手首装着品の買い替えを行いながらも、登録や設定を改めて行うことなく継続してこの非接触通信媒体をこの手首装着品に取り付けて使用することができる。
【００１４】
上記目的を達成するため、本発明に係る手首装着品は、
上述のいずれかの非接触通信媒体を挿入して内部に係止可能とする挿入ポケットを有する。
【００１５】
この発明によれば、ユーザは、非接触通信媒体を交換することなく、腕時計やリストバンド等の手首装着品の買い替えを行いながらも、登録や設定を改めて行うことなく継続してこの非接触通信媒体をこの手首装着品に取り付けて使用することができる。
【図面の簡単な説明】
【００１６】
【図１】本発明に係る非接触通信媒体の構成を示す外観図である。（Ａ）は、非接触通信媒体の構成を示す表面図である。（Ｂ）は、非接触通信媒体の構成を示す裏面図である。（Ｃ）は、非接触通信媒体の構成を示す側面図である。
【図２】本発明に係る手首装着品の一実施形態である腕時計用ベルトの内側に設けられた挿入ポケットに図１の非接触通信媒体が挿入される様子を示すイメージ図である。（Ａ）は、皮革製又は合皮製の腕時計用ベルトの挿入ポケットに非接触通信媒体が挿入される様子を示すイメージ図である。（Ｂ）は、樹脂又はゴム製の腕時計用ベルトの挿入ポケットに非接触通信媒体が挿入される様子を示すイメージ図である。
【発明を実施するための形態】
【００１７】
本発明に係る非接触通信媒体、及び手首装着品について、図面を参照しつつ説明する。なお、本発明は下記の実施形態に限定されるものではない。
【００１８】
［基本構成］
（非接触通信媒体）
本発明に係る非接触通信媒体の一実施形態であるＲＦＩＤタグ１は、図１及び図２に示すように、ＩＣチップ１０１と、ＩＣチップ１０１に接続されたコイルアンテナ１０２と、ＩＣチップ１０１及びコイルアンテナ１０２が配置された基材１１と、ＩＣチップ１０１、コイルアンテナ１０２、及び基材１１を封止する封止部材１２と、を有するＲＦＩＤタグである。なお、ＩＣチップ１０１及びコイルアンテナ１０２は、基材１１上に配置されているものの、これらの配置場所は本発明の構成要素とはならない。このため、図１では、ＲＦＩＤタグ１の表面及び裏面に浮き出る部分を破線で示してはいるが、ＩＣチップ１０１及びコイルアンテナ１０２の配置場所を具体的に特定していない。
【００１９】
ＲＦＩＤタグ１の大きさは特に限定されず、ユーザが身に付ける物品の一部に設けられた挿入ポケットに挿入され係止された状態で通信を可能とする大きさのものであればよい。本実施形態におけるＲＦＩＤタグ１の大きさは、ユーザが身に付ける物品（腕時計）の一部である腕時計用ベルト５１に設けられた挿入ポケット５１１、及び腕時計用ベルト５２に設けられた挿入ポケット５２１に、挿入され係止された状態で通信を可能とする大きさであればよい。具体的には、ＲＦＩＤタグ１の大きさは、縦の長さＤが１６ｍｍ〜１８ｍｍ、横の長さＷが２４ｍｍ〜２６ｍｍ、厚さＨが１ｍｍ以下であることが好ましい。
【００２０】
（手首装着品）
本発明に係る手首装着品の一実施形態である腕時計用ベルト５１の内側の面（ユーザの腕に接触する側の面）には、図１及び図２（Ａ）に示すように、ＲＦＩＤタグ１を挿入して内部に係止する挿入ポケット５１１を有する皮革製又は合皮製の腕時計用ベルトである。
本発明に係る手首装着品の一実施形態である腕時計用ベルト５２の内側の面（ユーザの腕に接触する側の面）には、図１及び図２（Ｂ）に示すように、ＲＦＩＤタグ１を挿入して内部に係止する挿入ポケット５２１を有する樹脂製又はゴム製の腕時計用ベルトである。
なお、図２に示す例では、腕時計用ベルトの材質として、皮革製、合皮製、樹脂製、及びゴム製としているが、これに限定されず、腕時計用ベルトとして一般的に挙げられる材質のうち任意の材質を採用してよい。例えば繊維製のものを用いてもよい。
【００２１】
以下、各構成要素を詳しく説明する。
【００２２】
（基材）
基材１１は、ＩＣチップ１０１と、ＩＣチップ１０１に接続されたコイルアンテナ１０２と、ＩＣチップ１０１及びコイルアンテナ１０２が配置された基材である。
ＩＣチップ１０１は、後述するコイルアンテナ１０２から供給される電力を利用して、リーダライタ（図示せず）との間でデータの送受信を行う。
コイルアンテナ１０２は、ＩＣチップ１０１に接続されたコイル状のアンテナであり、リーダライタ（図示せず）から発せられる電磁波や電波を受けることにより電力を生じさせ、この電力をＩＣチップ１０１に供給する。
基材１１の材質は特に限定されないが、可撓性を有するものが好ましい。基材１１が可撓性を有することにより、ＲＦＩＤタグ１を挿入する物品又は挿入部分が可撓性を有する場合であっても、ＲＦＩＤタグ１が破損してしまうことを防ぐことができる。
【００２３】
（封止部材）
封止部材１２は、ＩＣチップ１０１、コイルアンテナ１０２、及び基材１１を封止する部材である。封止部材１２が、ＩＣチップ１０１、コイルアンテナ１０２、及び基材１１を封止するので、ＲＦＩＤタグ１を一体的に形成させることができる。
封止部材１２の材質は特に限定されないが、ＲＦＩＤタグ１が交換可能を前提としているので、ユーザの指で何度もつままれたり、風雨に晒されたりする可能性がある。このため、封止部材１２の材質としては、防水性や、外部から受ける衝撃への耐性を少なくとも有する樹脂製や紙製であることが好ましい。
ＲＦＩＤタグ１の表面は、交換時にユーザにとって視認容易であるため、封止部材１２の表面に各種情報を表示させてもよい。図１（Ａ）の例では、封止部材１２の表面の領域２１に、ユーザに対する情報として「チャージ（入金）上限金額は○○，○○○円です。」という文言が表示されている。これにより、ユーザは、ＲＦＩＤタグ１に関する情報を容易に取得することができる。なお、図１（Ａ）の例では、領域２１にのみ情報を表示させているが、封止部材１２の表面の全域に亘って各種情報を表示させてもよい。
【００２４】
（挿入ポケット）
挿入ポケット５１１は、図２（Ａ）に示すように、腕時計用ベルト５１の内側の面（ユーザの腕に接触する側の面）の少なくとも一部を２重構造とし、その２重構造となっているベルトの隙間に形成されるポケットである。この挿入ポケット５１１に、ＲＦＩＤタグ１を挿入した状態で、ユーザの腕に腕時計用ベルト５１を巻くと、ＲＦＩＤタグ１は、挿入ポケット５１１の内部において周囲から締め付けられる。このため、ユーザは、挿入ポケット５１１からＲＦＩＤタグ１を脱落させずに安心して使用することができる。また、挿入ポケット５１１は、腕時計用ベルト５１の内側の面に配置されているので、ユーザが腕から腕時計を外さない限り、ＲＦＩＤタグ１が他人に抜き取られることがない。
なお、図２（Ａ）の例では、挿入ポケット５１１の挿入孔は、２重構造となっているベルトの端部から、隙間に向かってＲＦＩＤタグ１を挿入する構成となっているが、これに限定されない。例えば図２（Ｂ）に示すように、２重構造となっているベルトの一部に挿入孔を設けて、その挿入孔からＲＦＩＤタグ１を挿入できるようにしてもよい。
【００２５】
挿入ポケット５２１は、図２（Ｂ）に示すように、腕時計用ベルト５２の内側の面（ユーザの腕に接触する側の面）の少なくとも一部を２重構造とし、その２重構造となっているベルトの隙間にＲＦＩＤタグ１を挿入するための挿入孔を設けることにより形成される。この挿入ポケット５２１に、ＲＦＩＤタグ１を挿入した状態で、ユーザの腕に腕時計用ベルト５２を巻くと、ＲＦＩＤタグ１は、挿入ポケット５２１の内部において周囲から締め付けられることとなる。このため、ユーザは、挿入ポケット５２１からＲＦＩＤタグ１を脱落させずに安心して使用することができる。また、挿入ポケット５２１は、腕時計用ベルト５２の内側の面に配置されているので、ユーザが腕から腕時計を外さない限り、ＲＦＩＤタグ１が他人に抜き取られることがない。
なお、図２（Ｂ）の例では、挿入ポケット５２１の挿入孔の形状は、角に丸みを有する略長方形であるが、挿入孔の形状は特に限定されず、例えば楕円やその他の多角形であってもよい。また、挿入孔を設けずに、例えば図２（Ａ）に示す例のように、２重構造となっているベルトの端部から隙間に向かってＲＦＩＤタグ１を挿入する構成としてもよい。
【００２６】
挿入ポケット５１１及び挿入ポケット５２１の大きさは特に限定されず、少なくとも、縦の長さが１６ｍｍ〜１８ｍｍ、横の長さが２４ｍｍ〜２６ｍｍ、厚さが１ｍｍ以下であるＲＦＩＤタグ１を挿入して内部に係止可能とするものであればよい。
具体的には、挿入ポケット５１１及び５２１の大きさは、入口の幅が１７ｍｍ〜２７ｍｍ、奥行が１７ｍｍ〜２７ｍｍ、隙間の高さが１ｍｍ〜２ｍｍであることが好ましい。
【００２７】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００２８】
例えば、上述の実施形態では、本発明に係る非接触通信媒体のうちＲＦＩＤタグを例に挙げて説明したが、ＲＦＩＤタグに限定されず、ユーザが身に付ける物品に取り付け得る、あらゆる非接触型の通信媒体を本発明の非接触通信媒体に含めることができる。
【００２９】
また、上述の実施形態では、ユーザが身に付ける物品を、「腕時計」とし、ユーザが身に付ける物品の一部を「腕時計用ベルト」としているが、これに限定されない。例えばユーザが手首に巻くリストバンドやブレスレット等の他の手首装着品、又はユーザが首から下げるペンダント等を含む装飾品であってもよいし、財布や小銭入れであってもよい。
【００３０】
以上まとめると、本発明が適用される非接触通信媒体は、次のような構成を取れば足り、各種各様な実施形態を取ることができる。
すなわち、本発明が適用される非接触通信媒体（例えば図１及び図２のＲＦＩＤタグ１）は、
ＩＣチップ（例えば図１のＩＣチップ１０１）と、前記ＩＣチップに接続されたコイルアンテナ（例えば図１のコイルアンテナ１０２）と、前記ＩＣチップ及び前記コイルアンテナが配置された基材（例えば図１の基材１１）と、
前記ＩＣチップ、前記コイルアンテナ、及び前記基材を封止する封止部材（例えば図１の封止部材１２）と、
を有する非接触通信媒体（例えば図１及び図２のＲＦＩＤタグ１）であって、ユーザが身に付ける物品の一部に設けられた挿入ポケット（例えば図２（Ａ）の挿入ポケット５１１）に挿入され係止された状態で通信を可能とする。
これにより、ユーザは、非接触通信媒体を交換することなく、ユーザが身に付ける物品（例えば腕時計）の買い替えを行いながらも、登録や設定を改めて行うことなく継続してこの非接触通信媒体をこの物品に取り付けて使用することができる。
【００３１】
また、非接触通信媒体は、縦の長さが１６ｍｍ〜１８ｍｍ、横の長さが２４ｍｍ〜２６ｍｍであり、厚さが１ｍｍ以下である、とすることができる。
これにより、ユーザが身に付ける物品が小さい場合や、薄い場合であっても、非接触通信媒体を取り付け可能とする場合が多くなるので、非接触通信媒体を取り付けることができる物品の範囲を広めることができる。
【００３２】
また、前記基材（例えば図１の基材１１）は、可撓性基材である、とすることができる。
これにより、ユーザが身に付ける物品又は挿入部分が可撓性を有する場合（例えば図２（Ａ）の腕時計用ベルト５１であるような場合）であっても、非接触通信媒体を破損してしまうことを防ぐことができる。
【００３３】
また、前記物品は、手首装着品である、とすることができる。
これにより、ユーザは、非接触通信媒体を交換することなく、手首装着品の買い替えを行いながらも、登録や設定を改めて行うことなく継続してこの非接触通信媒体をこの手首装着品に取り付けて使用することができる。
【００３４】
本発明が適用される手首装着品（例えば図２（Ａ）の腕時計用ベルト５１）は、次のような構成を取れば足り、各種各様な実施形態を取ることができる。
すなわち、本発明が適用される手首装着品は、上述した非接触通信媒体を挿入して内部に係止可能とする挿入ポケット（例えば図２（Ａ）の挿入ポケット５１１）を有する。
これにより、ユーザは、非接触通信媒体を交換することなく、手首装着品の買い替えを行いながらも、登録や設定を改めて行うことなく継続してこの非接触通信媒体をこの手首装着品に取り付けて使用することができる。
【符号の説明】
【００３５】
１・・・  ＲＦＩＤタグ
１１・・・  基材
１２・・・  封止部材
２１・・・  表示領域
５１，５２・・・  腕時計用ベルト
１０１・・・  ＩＣチップ
１０２・・・  コイルアンテナ
５１１，５２１・・・  挿入ポケット
Ｄ・・・  縦の長さ
Ｗ・・・  横の長さ
Ｈ・・・  厚さ
【図１】
2019125041.tif 000003
【図２】
2019125041.tif 000004